(57)【特許請求の範囲】
【請求項１】
壁に埋込状に配される映像表示機器を保持する保持部材と、
壁厚方向に通気可能な多数の通気孔が設けられ、かつ前記映像表示機器の四周の壁面を構成するように配されて該映像表示機器の背面側空間に四周の通気孔が連通される多孔板状体と、
前記映像表示機器の背面側空間を区画するように、かつ該映像表示機器との間に隙間を形成するように配される反響板と、を備えており、
前記反響板における前記映像表示機器の四辺のうちの少なくとも一辺の近傍部位に、凹湾曲面部または傾斜面部が設けられていることを特徴とする映像表示機器取付装置。
【請求項２】
請求項１において、
前記映像表示機器の上下両側に配されて前記保持部材が固定され、かつ前記映像表示機器の背面側空間に連通される上下方向に貫通する多数の通気孔が設けられた上下の横桟を備えており、
前記多孔板状体は、上側の横桟よりも上方側に当該多孔板状体の通気孔が存在するように、かつ下側の横桟よりも下方側に当該多孔板状体の通気孔が存在するように配されることを特徴とする映像表示機器取付装置。
【請求項３】
請求項１または２において、
前記映像表示機器の表面側を覆うように、かつ前記多孔板状体の開口に位置するように配される透明カバー部材を備えていることを特徴とする映像表示機器取付装置。
【請求項４】
壁に埋込状に配される映像表示機器を保持する保持部材を設け、
壁厚方向に通気可能な多数の通気孔が設けられた多孔板状体を、前記映像表示機器の四周の壁面を構成するように、かつ該映像表示機器の背面側空間に四周の通気孔が連通するように配設し、
前記映像表示機器の背面側空間を区画するように、かつ該映像表示機器との間に隙間を形成するように配される反響板を設けており、
前記反響板における前記映像表示機器の四辺のうちの少なくとも一辺の近傍部位に、凹湾曲面部または傾斜面部が設けられていることを特徴とする映像表示機器取付装置。
【発明の詳細な説明】
【技術分野】
【０００１】
本発明は、映像表示機器を取り付ける映像表示機器取付装置及び映像表示機器取付構造に関する。
【背景技術】
【０００２】
近年、テレビジョン受像機等の映像表示機器は、その薄型化に伴い、載置台等に置き設置される態様に代えて、壁に設置される設置態様が採用される場合がある。このような映像表示機器を壁に付設状に設置した場合には、圧迫感が生じるという問題があった。
例えば、下記特許文献１には、一対の柱状部材間に板状の保持部材を接続し、この保持部材に表示装置を嵌め込む開口部を設けた壁下地構造の前側を開閉可能に覆う下地ボードを設けた建築用壁材が開示されている。また、この建築用壁材は、壁躯体に設けられた表示装置を保持する収容凹部の上下両側に、収容凹部内に通気路を介して空気を通流させる吸気口及び排気口を設けた構成とされている。
【先行技術文献】
【特許文献】
【０００３】
【特許文献１】特開２００８−２０８７０６号公報
【発明の概要】
【発明が解決しようとする課題】
【０００４】
しかしながら、上記特許文献１に記載された建築用壁材では、表示装置を保持する収容凹部の上下両側に通気路を介して吸気口及び排気口を設けた構成としているので、放熱性の観点からは更なる改善が望まれる。また、上記のような表示装置は、内蔵スピーカーが下面側や両側面側、背面側等に音響を出力するように設けられることが多々あり、このような場合には、壁内部で音が籠り易くなることも考えられる。
【０００５】
本発明は、上記実情に鑑みてなされたものであり、映像表示機器を埋込状に配設可能でありながらも、放熱性を向上し得、音響性能の低下を抑制し得る映像表示機器取付装置及び映像表示機器取付構造を提供することを目的としている。
【課題を解決するための手段】
【０００６】
上記目的を達成するために、本発明に係る映像表示機器取付装置は、壁に埋込状に配される映像表示機器を保持する保持部材と、壁厚方向に通気可能な多数の通気孔が設けられ、かつ前記映像表示機器の四周の壁面を構成するように配されて該映像表示機器の背面側空間に四周の通気孔が連通される多孔板状体と、前記映像表示機器の背面側空間を区画するように、かつ該映像表示機器との間に隙間を形成するように配される反響板と、を備えており、前記反響板における前記映像表示機器の四辺のうちの少なくとも一辺の近傍部位に、凹湾曲面部または傾斜面部が設けられていることを特徴とする。
【０００７】
また、上記目的を達成するために、本発明に係る映像表示機器取付構造は、壁に埋込状に配される映像表示機器を保持する保持部材を設け、壁厚方向に通気可能な多数の通気孔が設けられた多孔板状体を、前記映像表示機器の四周の壁面を構成するように、かつ該映像表示機器の背面側空間に四周の通気孔が連通するように配設し、前記映像表示機器の背面側空間を区画するように、かつ該映像表示機器との間に隙間を形成するように配される反響板を設けており、前記反響板における前記映像表示機器の四辺のうちの少なくとも一辺の近傍部位に、凹湾曲面部または傾斜面部が設けられていることを特徴とする。
【発明の効果】
【０００８】
本発明に係る映像表示機器取付装置及び映像表示機器取付構造は、上述のような構成としたことで、映像表示機器を埋込状に配設可能でありながらも、放熱性を向上させることができ、音響性能の低下を抑制することができる。
【図面の簡単な説明】
【０００９】
【図１】本発明の一実施形態に係る映像表示機器取付装置及び映像表示機器取付構造の一例を模式的に示し、図３（ｂ）におけるＸ−Ｘ線矢視に対応させた一部破断概略縦断面図である。
【図２】（ａ）、（ｂ）は、同映像表示機器取付装置及び同映像表示機器取付構造の施工手順の一例をそれぞれ模式的に示す一部破断概略正面図である。
【図３】（ａ）は、同映像表示機器取付装置が備える多孔板状体の一例を模式的に示す概略正面図、（ｂ）は、同映像表示機器取付装置及び同映像表示機器取付構造の一例を模式的に示す一部破断概略正面図である。
【図４】本発明の他の実施形態に係る映像表示機器取付装置及び映像表示機器取付構造の一例を模式的に示し、図１に対応させた一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、設置された映像表示機器取付装置に取り付けられた映像表示機器に対面した状態を基準として、手前側を壁厚方向一方側、その逆側を壁厚方向他方側とし、また、その状態を基準として、上下方向等の方向を説明する。
【００１１】
図１〜図３は、第１実施形態に係る映像表示機器取付装置及び映像表示機器取付構造の一例を模式的に示す図である。
本実施形態に係る映像表示機器取付装置１は、図１、図２（ａ）及び図３（ｂ）に示すように、壁に埋込状に配される映像表示機器８を保持する保持部材１６と、映像表示機器８の四周の壁面を構成するように配される多孔板状体２０と、を備えている。また、本実施形態では、映像表示機器取付装置１を、映像表示機器８の背面側空間１２を区画するように、かつ映像表示機器８との間に隙間を形成するように配される反響板（音響反射板）１５を備えた構成としている。また、映像表示機器取付装置１を、映像表示機器８の表面側を覆うように配される透明カバー部材２７を備えた構成としている。また、映像表示機器取付装置１を、映像表示機器８の上下両側に配され、保持部材１６が固定される上下の横桟１４，１４を備えた構成としている。
【００１２】
また、本実施形態では、上下の横桟１４，１４を、壁厚方向一方側に向けて開口し、映像表示機器８を受け入れる受入凹所１１の四周を区画する枠部材１０の上下の横枠１４，１４としている。
枠部材１０は、これら上下の横枠１４，１４の長手方向両端部に接合される左右の縦枠１３，１３を備えている。また、枠部材１０は、図２に示すように、壁厚方向に見て、略矩形枠状とされ、かつ当該枠部材１０の内周面と映像表示機器８及び透明カバー部材２７の外周面との間に全周に亘って隙間が形成されるように設けられている。この隙間寸法は、放熱性の観点等から適宜の寸法としてもよい。
【００１３】
また、本実施形態では、この枠部材１０の受入凹所１１の壁厚方向他方側を覆うように、反響板１５を設けた構成としている。
この反響板１５は、壁厚方向に厚さ方向を沿わせて配される略矩形平板状とされている。このような反響板１５としては、映像表示機器８から出力される音響を受入凹所１１内で籠り難くし、音響を壁厚方向一方側に反射する構成とされたものとしてもよい。また、このような反響板１５としては、壁厚方向一方側の面（表面）が鏡面状の平滑な面で、かつ振動し難い構成とされたものとしてもよい。図例では、この反響板１５を、比較的に薄くした例を示しているが、振動を抑制する観点等から適宜の厚さとされたものとしたり、壁厚方向他方側（背面側）に適宜の補強材を設けた構成とされたものとしてもよい。
【００１４】
また、枠部材１０は、壁を構成する壁下地２，４に固定される。また、図例では、枠部材１０の壁厚方向に沿う寸法を、壁下地２，３，４の壁厚方向に沿う寸法よりも小さい寸法とした例を示している。なお、この枠部材１０を、当該映像表示機器取付装置１が備えた構成としてもよい。
枠部材１０が固定される壁下地２，４は、間仕切壁の下地を構成し、例えば、枠部材１０が嵌め込まれる開口部を形成するように設けられたものとしてもよい。例えば、枠部材１０の壁幅方向両側が固定される一対の縦桟２，２と、これら一対の縦桟２，２間に配され、少なくとも壁厚方向一方側に向けて開口するように枠部材１０を受け入れる凹所４ａを設けた中間縦桟４と、を設けた壁下地構造としてもよい。図例では、中間縦桟４の上下方向途中部位に切欠状の凹所４ａを設けた例を示している。また、複数本（図例では、３本）の中間縦桟４，４，４を、壁幅方向に間隔を空けて設けた構成としている。また、一対の縦桟２，２の上下両端部が固定される一対の横桟３，３を、一対の縦桟２，２間に架け渡すように設けた構成としている。なお、枠部材１０が固定される壁下地２，４としては、上記のような態様に限られず、その他、種々の変形が可能である。
【００１５】
壁下地２，３，４の壁厚方向他方側には、適宜、壁下地ボード５が固定される。この壁下地ボード５としては、一般的な壁下地ボードとしてもよく、例えば、石膏ボード（プラスターボード）やロックウールボード等の内装下地ボードとしてもよい。また、この壁下地ボード５の表面には、適宜、クロスや壁紙等の表面化粧材６が貼着され、壁厚方向他方側の壁面を構成するようにしてもよい。
映像表示機器８は、一般的なテレビジョン受像機や映像再生機器等としてもよく、その他、各種情報機器のディスプレイ（モニター）等としてもよい。また、映像表示機器８としては、液晶ディスプレイやプラズマディスプレイ、有機ＥＬディスプレイ等の薄型パネル状のディスプレイとしてもよい。このような映像表示機器８としては、画面サイズや外周寸法（縦寸法及び横寸法）が数種類に規格化されたものとしてもよい。
この映像表示機器８の背面側には、後記する保持部材１６の固定部が設けられている。
【００１６】
なお、上記した壁下地２，３，４や枠部材１０は、木質系材料から形成されたものとしてもよい。木質系材料としては、例えば、合板やＬＶＬ（単板積層材）等の木質積層板、パーティクルボード等の木質ボード、インシュレーションボードやＭＤＦ（中密度繊維板）等の木質繊維板などとしてもよい。また、このような態様に限られず、壁下地２，３，４や枠部材１０は、合成樹脂系材料や金属系材料から形成されたものとしてもよい。また、上記した壁下地２，３，４や枠部材１０は、映像表示機器８の外周寸法等に応じて、予め寸法調整がなされているものとしてもよく、または、適宜、施工現場等において長さ調整等がなされるものとしてもよい。
【００１７】
保持部材１６は、図１及び図２（ａ）に示すように、映像表示機器８の背面側に取り付けられる柱状体１７と、この柱状体１７の上下両端部を保持する上下の保持部１８，１９と、を備えている。上下の保持部１８，１９は、上下の横枠１４，１４の互いに対向する内側面に固定される構成とされている。なお、これら上下の保持部１８，１９及び柱状体１７を、下側保持部１９に対して柱状体１７の下端部が壁幅方向に沿う軸廻りに回転自在にかつ着脱自在に保持される一方、上側保持部１８に対して柱状体１７の上端部が保持される構造としてもよい。図例では、映像表示機器８の背面側に、壁幅方向に間隔を空けて複数本（図例では、２本）の柱状体１７，１７を取り付け、これら柱状体１７，１７の上下両端部をそれぞれに保持する上下の保持部１８，１９，１８，１９を設けた例を示している（図２（ａ）参照）。これら上下の保持部１８，１９を、これらに対する柱状体１７の壁厚方向及び壁幅方向のうちの両方または一方への位置調整を可能とした構成としてもよい。なお、映像表示機器８を保持する保持部材１６としては、このような態様に限られず、その他、種々の変形が可能である。
【００１８】
透明カバー部材２７は、図１、図２（ｂ）及び図３（ｂ）に示すように、少なくとも映像表示機器８の映像表示面に応じた部位が透明な略矩形平板状とされている。本実施形態では、この透明カバー部材２７を、その壁厚方向一方側に向く表面と後記する多孔板状体２０の壁厚方向一方側に向く表面とが略同一平面状となるように配されるものとしている。
この透明カバー部材２７は、その四周端部に四周枠状に不透明部が設けられ、その内側が透明部とされたものとしてもよい。また、この透明カバー部材２７の少なくとも透明部の厚さ方向一方面（例えば、壁厚方向一方側に向く表面）または両面を、反射防止フィルム（シート）の貼着や反射防止コーティング等の反射防止処理が施されたものとしてもよい。
【００１９】
また、この透明カバー部材２７の背面側の四隅には、枠部材１０に設けられたカバー保持部材２９に着脱自在に保持される被保持部２８が設けられている。これら被保持部２８及びカバー保持部材２９のうちの一方に、透明カバー部材２７の表面側から操作可能とされ、互いの係止を解除する解除操作部を設けた構成としてもよい。
また、これら被保持部２８及びカバー保持部材２９としては、透明カバー部材２７を枠部材１０（受入凹所１１）に対して保持可能なものであればどのようなものでもよい。図例では、受入凹所１１の壁幅方向両側の内周面を構成する縦枠１３，１３の互いに対向する内側面にカバー保持部材２９，２９，２９，２９を設けた例を示している。
【００２０】
多孔板状体２０は、壁厚方向に通気可能な多数の通気孔を設けた構成とされている。この多孔板状体２０は、映像表示機器８の四周の壁面を構成するように配されて映像表示機器８の背面側空間１２に四周の通気孔が連通される構成とされている。
本実施形態では、この多孔板状体２０を、壁厚方向に沿う方向に貫通する、映像表示機器８に応じた開口２１を設けた単一のものとしている。また、この開口２１を、内周面が透明カバー部材２７の外周面に近接するように設けた構成としている。つまり、図３（ｂ）に示すように、壁厚方向に見て、上記のように枠部材１０の内周面と透明カバー部材２７の外周面との間に全周に亘って形成される隙間を覆うように多孔板状体２０を設けた構成としている。
【００２１】
また、この多孔板状体２０は、板厚方向と同方向となる壁厚方向に見て、外郭形状が略方形状とされている。本実施形態では、この多孔板状体２０の上下寸法を、壁厚方向一方側の壁面における壁幅方向一部の上下方向の全体を構成するように、床から天井までの上下寸法に応じた寸法としている。また、この多孔板状体２０の壁幅方向に沿う寸法は、上記した枠部材１０の内周面と透明カバー部材２７の外周面との間の壁幅方向両側の隙間を少なくとも覆うような寸法としてもよい。また、例えば、この多孔板状体２０の壁幅方向に沿う寸法を、壁幅方向両側端部が上記した一対の縦桟２，２に固定可能な寸法としてもよい。また、図例では、多孔板状体２０の壁幅方向中央に開口２１を設けた構成としている。
【００２２】
また、本実施形態では、多孔板状体２０を、多孔板２２と、この多孔板２２の背面側に固定された補強桟２３，２４と、を備えた構成としている。補強桟２３，２４は、開口２１の内周面を構成するように四周枠状に設けられた内周側桟２３と、当該多孔板状体２０の外周面を構成するように四周枠状に設けられた外周側桟２４と、を備えている。また、上下方向途中部位や壁幅方向途中部位に適宜、横桟や縦桟を設けた構成としている。
多孔板２２は、パンチングメタル等の金属製メッシュ材からなるものとしてもよく、また、樹脂製や木製からなるものとしてもよい。また、この多孔板２２は、不織布や織布、連続気泡型の発泡シート等の通気性を有したシート状体からなり、上記した補強桟２３，２４に張るように設けられたものとしてもよい。この多孔板状体２０の面域方向の全体に多孔板２２を設けた態様に代えて、少なくとも上記隙間を覆う部位を多孔板２２とし、その他の部位を、通気孔が設けられていない平板部としてもよい。
【００２３】
また、本実施形態では、この多孔板状体２０の背面側に、壁下地３，３に設けられた多孔板保持部材２６，２６に保持される被保持部２５，２５を設けた構成としている。図例では、上記した上下の横桟３，３に設けられた多孔板保持部材２６，２６に保持される被保持部２５，２５を多孔板状体２０の背面側の上下端部に設けた構成としている。このような多孔板保持部材２６，２６及び被保持部２５，２５としては、壁厚方向一方側から多孔板状体２０を壁厚方向に移動させることで互いに係止される構成とされたものとしてもよく、また、係止解除が可能とされたものとしてもよい。なお、多孔板保持部材２６，２６を上下の横桟３，３に設けた態様に代えて、または加えて、一対の縦桟２，２に設けた態様としてもよく、また、多孔板保持部材２６，２６を設ける位置に応じて多孔板状体２０の背面側に被保持部２５，２５を設けた態様としてもよい。
また、この多孔板状体２０の厚さ寸法は、背面側を壁下地２，３，４の壁厚方向一方側に当接させた状態で、壁面を構成するその表面が、壁厚方向一方側の壁面７，７（図３（ｂ）参照）と略同一平面状となるように適宜の寸法としてもよい。例えば、この多孔板状体２０の厚さ寸法を、この多孔板状体２０の周囲に設けられる壁下地ボードと略同厚さとしてもよい。
【００２４】
本実施形態に係る映像表示機器取付構造は、上記構成とされた映像表示機器取付装置１を用いた構造とされ、壁に埋込状に配される映像表示機器８を保持する保持部材１６を設けた構造とされている。また、同映像表示機器取付構造は、上記構成とされた多孔板状体２０を、映像表示機器８の四周の壁面を構成するように、かつ映像表示機器８の背面側空間１２に四周の通気孔が連通するように配設した構造とされている。また、本実施形態では、同映像表示機器取付構造は、映像表示機器８の背面側空間１２を区画するように、かつ映像表示機器８との間に隙間を形成するように反響板１５を設けた構造とされている。また、本実施形態では、同映像表示機器取付構造は、映像表示機器８の表面側を覆うように、かつ多孔板状体２０の開口２１に位置するように透明カバー部材２７を設けた構造としている。
【００２５】
上記構成とされた映像表示機器取付装置１及びこれを用いた映像表示機器取付構造は、例えば、以下のように施工するようにしてもよい。
まず、壁下地２，４に、枠部材１０を嵌め入れるようにして固定する。また、壁下地３，３及び枠部材１０に、多孔板保持部材２６，２６、上下の保持部１８，１９及びカバー保持部材２９，２９を取り付ける。また、映像表示機器８の背面側に柱状体１７を取り付ける。そして、このように背面側に柱状体１７が取り付けられた映像表示機器８を、上下の保持部１８，１９に保持させる。
また、多孔板状体２０を、その被保持部２５，２５を多孔板保持部材２６，２６に係止させて取り付ける。また、透明カバー部材２７を、その被保持部２８，２８をカバー保持部材２９，２９に係止させて取り付ける。
【００２６】
また、多孔板状体２０を囲むように、壁厚方向一方側の壁下地ボードを固定し、また、壁厚方向他方側の壁下地ボード５を固定する。そして、これら壁下地ボード５の表面に、適宜、表面化粧材６を貼着する。
なお、上記施工手順は、一例に過ぎず、各部材の機能を阻害しない限りにおいて別手順で行うようにしてもよい。
【００２７】
本実施形態に係る映像表示機器取付装置１及び映像表示機器取付構造は、上述のような構成としたことで、映像表示機器８を埋込状に配設可能でありながらも、放熱性を向上させることができ、音響性能の低下を抑制することができる。
つまり、壁に埋込状に配される映像表示機器８を保持する保持部材１６を設けた構成としている。従って、映像表示機器８を埋込状に壁に配設することができる。
また、壁厚方向に通気可能な多数の通気孔が設けられ、かつ映像表示機器８の四周の壁面を構成するように配されて映像表示機器８の背面側空間１２に四周の通気孔が連通される多孔板状体２０を設けた構成としている。従って、映像表示機器８から発生する熱による自然対流等によって、多孔板状体２０における映像表示機器８の下側部位の通気孔から取り込んだ空気を、背面側空間１２を通過させて多孔板状体２０における映像表示機器８の上側部位の通気孔から排気することができる。また、この多孔板状体２０が映像表示機器８の四周を囲むように設けられることとなるので、例えば、映像表示機器を収容する凹部の上下両側に通気路を介して吸気口及び排気口を設けたようなものと比べて、放熱性を向上させることができる。また、映像表示機器８の内蔵スピーカーが下面側や両側面側、背面側等に音響を出力するように設けられているような場合にも、映像表示機器８の四周の多孔板状体２０によって音を籠らせ難くすることができ、音響性能の低下を抑制することができる。
【００２８】
また、本実施形態では、映像表示機器８の四周を囲む多孔板状体２０を、映像表示機器８に応じた開口２１を設けた単一の多孔板状体２０によって構成している。従って、取扱性や施工性を向上させることができる。
また、本実施形態では、多孔板状体２０の上下寸法を、床から天井までの上下寸法に応じた寸法としている。従って、壁厚方向一方側の壁面における壁幅方向の一部が上下方向の全体に亘って概ね同様の外観を呈することとなり、上下方向の一部を構成するように多孔板状体２０を設けたものと比べて、壁面の統一感を図ることができる。
また、本実施形態では、多孔板状体２０を、多孔板２２と、この多孔板２２の背面側に固定された補強桟２３，２４と、を備えた構成としている。従って、多孔板２２からなるものと比べて、保形性や強度を向上させることができ、取扱性や施工性を向上させることができる。
【００２９】
また、本実施形態では、映像表示機器８の背面側空間１２を区画するように、かつ映像表示機器８との間に隙間を形成するように配される反響板１５を設けた構成としている。従って、映像表示機器８の背面側等に出力された音を、この反響板１５によって反射させることができ、音響性能の低下をより効果的に抑制することができる。また、これにより、壁厚方向他方側の空間への音の影響を効果的に抑制することもできる。
【００３０】
また、本実施形態では、映像表示機器８の上下両側に配され、保持部材１６が固定される上下の横桟（横枠）１４，１４を設けた構成としている。従って、これら上下の横枠１４，１４に、映像表示機器８を保持する保持部材１６を固定することができ、天井から床等に概ね至るように保持部材を設けるようなものと比べて、保持部材１６（柱状体１７）を短くすることができる。
【００３１】
また、本実施形態では、映像表示機器８の表面側を覆うように、かつ多孔板状体２０の開口２１に位置するように配される透明カバー部材２７を設けた構成としている。従って、壁に埋込状に配される映像表示機器８の表面側を見栄え良く納めることができる。また、このような透明カバー部材２７を設けた場合には、熱や音がより籠り易くなる傾向があるが、この透明カバー部材２７の四周に多孔板状体２０が設けられるので、上記のように熱や音が籠るようなことを抑制することができる。
【００３２】
次に、本発明に係る他の実施形態について、図面を参照しながら説明する。
図４は、第２実施形態に係る映像表示機器取付装置及び映像表示機器取付構造の一例を模式的に示す図である。
なお、上記第１実施形態との相違点について主に説明し、同様の構成については、同一の符号を付し、その説明を省略または簡略に説明する。
【００３３】
本実施形態に係る映像表示機器取付装置１Ａは、枠部材１０Ａの構成が上記第１実施形態とは主に異なる。
本実施形態では、枠部材１０Ａを構成する上下の横桟としての横枠１４Ａ，１４Ａに、映像表示機器８の背面側空間１２に連通される上下方向に貫通する多数の通気孔１４ａ，１４ａを設けた構成としている。これら横枠１４Ａ，１４Ａに設けられる通気孔１４ａ，１４ａの径や、個数、間隔は、通気性の観点や、横枠１４Ａ，１４Ａの強度を確保する観点等から適宜、設定するようにしてもよい。
また、多孔板状体２０を、上側の横枠１４Ａよりも上方側に当該多孔板状体２０の通気孔が存在するように、かつ下側の横枠１４Ａよりも下方側に当該多孔板状体２０の通気孔が存在するように配される構成としている。本実施形態では、上記同様、多孔板状体２０を、床から天井に至る上下寸法としているが、このような態様に限られない。多孔板状体２０の開口２１の上下両側の上下寸法を、上下の横枠１４Ａ，１４Ａの通気孔１４ａ，１４ａを介してこれらの上下両側の空気が効果的に流通するように、適宜の寸法としてもよい。
【００３４】
また、本実施形態では、反響板１５Ａの壁厚方向一方側に、凹湾曲面部１５ａ，１５ａを設けている。図例では、反響板１５Ａの上下両端部に、凹湾曲面部１５ａ，１５ａを設けた例を示している。つまり、反響板１５Ａと上下の横枠１４Ａ，１４Ａとの入隅部に凹湾曲面部１５ａ，１５ａを設けた構成としている。
これら凹湾曲面部１５ａ，１５ａは、反響板１５Ａの壁厚方向一方側に向く面と上下の横枠１４Ａ，１４Ａの上下方向に向く面とを滑らかに接続するように、壁幅方向に見て略四半円弧状とされている。
なお、反響板１５Ａと上下の横枠１４Ａ，１４Ａとの入隅部に凹湾曲面部１５ａ，１５ａを設けた態様に代えて、または加えて、左右の縦枠１３，１３との入隅部に凹湾曲面部を設けた態様としてもよい。また、凹湾曲面部に限られず、上記各入隅部に傾斜面部を設けた態様等としてもよい。また、入隅部に限られず、凹湾曲面部または傾斜面部を、反響板１５Ａにおける映像表示機器８の四辺のうちの少なくとも一辺の近傍部位に設けた態様としてもよい。
【００３５】
上記構成とされた本実施形態に係る映像表示機器取付装置１Ａ及び映像表示機器取付構造においても、上記した第１実施形態と概ね同様の効果を奏する。
また、本実施形態では、上下の横桟としての横枠１４Ａ，１４Ａに通気孔１４ａ，１４ａを設け、多孔板状体２０を、これら上下両側の横枠１４Ａ，１４Ａよりも上下方向外方側に当該多孔板状体２０の通気孔が存在するように配される構成としている。従って、上述のように横枠１４Ａ，１４Ａを設けたことで保持部材１６（柱状体１７）の短縮化が図れながらも、これら上下の横枠１４Ａ，１４Ａによって空気の流通が阻害されるようなことを抑制することができ、放熱性を向上させることができる。
また、本実施形態では、反響板１５Ａにおける映像表示機器８の四辺のうちの少なくとも一辺の近傍部位に、凹湾曲面部１５ａ，１５ａまたは傾斜面部を設けた構成としている。従って、映像表示機器８の背面側等に出力された音を、より効果的に反響板１５Ａによって反射させることができ、音響性能の低下をより効果的に抑制することができる。
【００３６】
なお、本実施形態において説明した横枠１４Ａ，１４Ａ及び反響板１５Ａのうちの一方を、上記第１実施形態に適用するようにしてもよい。
また、上記各実施形態では、反響板１５，１５Ａを、枠部材１０，１０Ａに固定的に設けた例を示しているが、枠部材１０，１０Ａとは別途に設けるようにしてもよい。この場合は、反響板１５，１５Ａを、壁下地２，３，４等に固定するようにしてもよい。さらには、このような反響板１５，１５Ａを設けないようにしてもよい。
また、上記各実施形態では、上下の横桟としての横枠１４，１４，１４Ａ，１４Ａを含む枠部材１０，１０Ａの壁厚方向に沿う寸法を、壁厚方向他方側の壁下地ボード５との間に隙間が形成されるような寸法とした例を示しているが、このような態様に限られない。また、このような枠部材１０，１０Ａを設けずに、映像表示機器８の上下両側に所定間隔を空けて配される上下の横桟１４，１４，１４Ａ，１４Ａを設けた態様としてもよい。この場合は、上下の横桟１４，１４，１４Ａ，１４Ａを壁下地２，２に固定するようにしてもよい。さらには、このような横桟１４，１４，１４Ａ，１４Ａを設けずに、映像表示機器８を保持する保持部材１６を壁下地２，３，４のいずれかに固定するようにしてもよい。
【００３７】
また、上記各実施形態では、多孔板状体２０の上下寸法を、天井から床に概ね至るような寸法とした例を示しているが、このような態様に限られない。例えば、上記のような枠部材１０，１０Ａを設けた場合には、少なくとも透明カバー部材２７（透明カバー部材２７を設けない場合には、映像表示機器８）の四周と枠部材１０，１０Ａとの間の隙間を覆うように額縁状に配される多孔板状体２０としてもよい。
また、上記各実施形態では、映像表示機器８の表面側を覆うように配される透明カバー部材２７を設けた例を示しているが、このような透明カバー部材２７を設けないようにしてもよい。この場合は、多孔板状体２０の開口２１を、内周面が映像表示機器８の外周面に近接するように設けた構成としてもよい。また、この場合は、映像表示機器８を、表面が多孔板状体２０の表面と略同一平面状となるように配されるものとしてもよい。
また、上記各実施形態では、映像表示機器８に応じた開口２１を設けた単一の多孔板状体２０とした例を示しているが、このような態様に限られない。例えば、上下や上下左右に分離された複数の多孔板状体２０を用いるようにしてもよい。
また、上記した例では、各実施形態に係る映像表示機器取付装置１，１Ａを用いた映像表示機器取付構造について説明したが、このような態様に限られない。例えば、上記した映像表示機器取付装置１，１Ａを構成する各部材のうちのいずれかまたは全てを適宜、施工現場等において加工等が施されて手配されたものとし、これを用いた映像表示機器取付構造としてもよい。
【符号の説明】
【００３８】
１，１Ａ      映像表示機器取付装置
１２          背面側空間
１４，１４Ａ  横枠（横桟）
１４ａ        通気孔
１５，１５Ａ  反響板
１６          保持部材
２０          多孔板状体
２１          開口
２７          透明カバー部材
８            映像表示機器
【図１】
0006579514.tif 000002
【図２】
0006579514.tif 000003
【図３】
0006579514.tif 000004
【図４】
0006579514.tif 000005